(57)【要約】【課題】外部カメラの設置されている場所に被撮影者がいるかのような画像を用いて被撮影者の好みに合った面白みのある画像を得ることができる撮影装置および撮影方法を提供すること。【解決手段】撮影装置２００は、撮影ブース２２０と、撮影ブースの内部において、人物画像を撮影する内部カメラ２２３と、撮影ブースの外部において、背景画像を撮影する１または複数の外部カメラ３００と、外部カメラと接続され、背景画像を取得する通信部２４０と、背景画像と人物画像とを合成した合成画像を生成する画像処理部２３２と、を有する。【選択図】図１
2019186828.tif 000002
【特許請求の範囲】
【請求項１】
撮影ブースと、
前記撮影ブースの内部において、人物画像を撮影する内部カメラと、
前記撮影ブースの外部において、背景画像を撮影する１または複数の外部カメラと、
前記外部カメラと接続され、前記背景画像を取得する通信部と、
前記背景画像と前記人物画像とを合成した合成画像を生成する画像処理部と、を有する撮影装置。
【請求項２】
前記画像処理部は、前記外部カメラによって撮影された複数の背景画像から選択された１の背景画像と、前記人物画像とを合成した合成画像を生成する、請求項１に記載の撮影装置。
【請求項３】
初期設定部をさらに有し、
前記初期設定部は、選択された前記外部カメラに応じて、前記人物画像の位置、アングル、大きさ、および／または範囲の調節を行う、請求項１または２に記載の撮影装置。
【請求項４】
色調調節部をさらに有し、
前記色調調節部は、前記外部カメラから得られる背景画像に応じて、前記人物画像の色調、明るさの調節、前記撮影ブース内部の照明の調節、前記内部カメラの露出時間、および／または前記内部カメラの絞りの調節を行う、請求項１乃至３のいずれか１項に記載の撮影装置。
【請求項５】
撮影ブースの内部において、人物画像を撮影する人物撮影工程と、
前記撮影ブースの外部において、背景画像を撮影する背景撮影工程と、
前記背景画像と前記人物画像とを合成した合成画像を生成する画像処理工程と、を有する撮影方法。
【発明の詳細な説明】
【技術分野】
【０００１】
本発明は、撮影装置および撮影方法に関する。
【背景技術】
【０００２】
従来、カメラを用いて人物を撮影することにより、得られた撮影画像を写真印刷シートとして出力したり、ネットワークを介して外部の装置に送信したりすることができる遊戯用撮影装置が知られている。このような撮影装置には、観光地またはレジャー施設などに設置され、被撮影者の画像とあらかじめ記録された観光地等の背景画像とを合成することによって、記念写真を提供するものが存在する。また、観光地などにおいて被撮影者と背景とを同時に撮影し、撮影した画像を印刷写真等で出力する自動撮影出力装置が考案されている。
【０００３】
例えば、特許文献１（特開平７−２９８１２３号公報）には、写真ボックスの利用感覚で、手軽にしかも短時間に、被撮影者の嗜好を満足させる記念写真が得られる画像印刷装置が開示されている。
【０００４】
特許文献１の技術は、コンピュータ３（制御手段）は、内在するハードディスク装置（記憶手段）に記憶された背景画の画像データと、ビデオカメラ２により受像した被撮影者１００の画像データとを合成し、その合成結果をＣＲＴ４（表示手段）へ表示させる。ＣＲＴ４の表示画像はハーフミラー５により被撮影者１００へ反射され、被撮影者１００はその画像を見つつ、操作部６を操作して、合成された被撮影者１００の画像の位置、サイズなどを調整する。そして、最終的な合成画像がプリンタ７から出力されるものである。
【０００５】
また、特許文献２（特開２００７−１７４１６８号公報）には、例えば観光地において人物と屋外に聳える巨大な背景とを同時に撮影するに際し、最適な撮影機材に熟練したカメラマンの技術を組み込んだ撮影装置と、撮影した画像を印刷写真等として出力する画像出力装置とからなる自動撮影出力装置が開示されている。
【０００６】
特許文献２の技術は、カメラ・ボックス１３内の低位置に固定されたデジタル・カメラ３１側へ向かって下向き傾斜の上面を持つ位置決めテーブル１２によって、被撮影人物Ｃとデジタル・カメラ３１との距離をほぼ一定にし、低位置のデジタル・カメラ３１に装着した広角レンズ３０の光軸を上向きにして、上半身をやや前屈させている被撮影人物Ｃと背景である至近距離の巨大な建造物全体とを写し込んで撮影し、その撮影画像をプリントした印刷写真や、その撮影画像を保存したＳＤカードを提供する。撮影時の照明にはデジタル・カメラ３１の左右及び上方のＬＥＤライティング・パネル４２、４３を面光源として使用するものである。
【先行技術文献】
【特許文献】
【０００７】
【特許文献１】特開平７−２９８１２３号公報
【特許文献２】特開２００７−１７４１６８号公報
【発明の概要】
【発明が解決しようとする課題】
【０００８】
しかしながら、特許文献１の技術は、背景として用いられる画像はあらかじめ用意された画像から選択されて用いられていたため、撮影装置から出力される画像は画一的なものとなり面白みに欠けている。
【０００９】
また、特許文献２の技術は、設置されるデジタル・カメラ３１の撮影角度が仰角に固定されているため、一つの背景画像しか得られない。また、高台から見下ろした風景、または動物の画像を背景画像として撮影するには適していない。
【００１０】
本発明の主な目的は、外部カメラの設置されている場所に被撮影者がいるかのような画像を用いて被撮影者の好みに合った面白みのある画像を得ることができる撮影装置および撮影方法を提供することである。
本発明の他の目的は、外部カメラの設置されている場所に被撮影者がいるかのような面白みがあり、さらに理想的な背景とともに自己の映った画像を得ることができる撮影装置および撮影方法を提供することである。
本発明の他の目的は、外部カメラの設置されている場所に被撮影者がいるかのような面白みがあり、さらに操作時間を短縮しつつ、オリジナリティのある画像を得ることができる撮影装置および撮影方法を提供することである。
本発明の他の目的は、外部カメラの設置されている場所に被撮影者がいるかのような面白みがあり、さらに違和感がなく臨場感のある画像を得ることができ、理想的な合成映像を得ることができる撮影装置および撮影方法を提供することである。
【課題を解決するための手段】
【００１１】
（１）
一局面に従う撮影装置は、撮影ブースと、撮影ブースの内部において、人物画像を撮影する内部カメラと、撮影ブースの外部において、背景画像を撮影する１または複数の外部カメラと、外部カメラと接続され、背景画像を取得する通信部と、背景画像と人物画像とを合成した合成画像を生成する画像処理部と、を有するものである。
【００１２】
これにより、外部カメラを用いて撮影された背景画像に、撮影ブース内において内部カメラを用いて撮影された人物画像を合成した撮影画像を得ることができるため、被撮影者である人物は撮影ブース内にいながら、あたかも外部カメラが背景画像を撮影する場所に当該人物がいるかのような画像を得ることができる。
外部カメラの撮影対象および撮影場所としては、例えば、観光名所、景勝地、夜景または桜の名所、山頂または崖の上、動物園の檻の中、顕微鏡またはファイバースコープによる撮影など様々であり、これらの撮影された背景映像を撮影ブース内において、被撮影者はリアルタイムに確認し選択することができる。
したがって、従来のように、背景画像としてあらかじめ用意された既成の画像を用いないため、被撮影者の好みに合った面白みのある画像を得ることができる。
なお、人物画像の撮影および背景画像の撮影は、被撮影者の入力に応じて行われるものであってもよいし、笑顔の検知などを利用した自動撮影によるものであってもよい。
【００１３】
（２）
第２の発明にかかる撮影装置は、一局面に従う撮影装置において、画像処理部は、外部カメラによって撮影された複数の背景画像から選択された１の背景画像と、人物画像とを合成した合成画像を生成してもよい。
【００１４】
この場合、外部カメラは、時間間隔をおいて撮影した複数の背景画像（または背景映像）を取得する。これにより、例えば動物または花火など、背景に動く被写体が含まれる場合に、被撮影者は最適なタイミングの被写体の背景画像を選択することができる。したがって、被撮影者は理想的な背景とともに自己の映った画像を得ることができる。
なお、外部カメラは、入力部による入力に応じて連続的に複数の背景画像を撮影してもよいし、あらかじめ一定の時間または日数をおいて複数の背景画像を撮影してもよい。
【００１５】
（３）
第３の発明にかかる撮影装置は、一局面または第２の発明に係る撮影装置において、初期設定部をさらに有し、初期設定部は、選択された外部カメラに応じて、人物画像の位置、アングル、大きさ、および／または範囲の調節を行ってもよい。
【００１６】
これにより、様々な外部カメラから選択された背景映像に応じて、あらかじめ最適な人物映像の位置、大きさ、範囲、および内部カメラのアングルが、あらかじめ初期設定として選択されたうえで合成映像が生成されるため、被撮影者の操作性が向上するとともに、多数のパラメータからなる設定の手間が省け、被撮影者の好みに応じた画像を撮影するための操作時間を短縮することができる。
初期設定は、自動的に設定されて最初に表示される映像であり、被撮影者は撮影人数、好み、および撮影対象（大人のみの場合または子供を含む場合など）に応じて、当該設定を自由に変更することができる。これによって、オリジナリティのある画像を得ることができる。
【００１７】
（４）
第４の発明にかかる撮影装置は、一局面乃至第３の発明のいずれかの発明に係る撮影装置において、色調調節部をさらに有し、色調調節部は、外部カメラから得られる背景画像に応じて、人物画像の色調、明るさの調節、撮影ブース内部の照明の調節、内部カメラの露出時間、および／または内部カメラの絞りの調節を行ってもよい。
【００１８】
これにより、外部カメラが映す背景映像の光条件に対応した撮影環境を、撮影ブース内で再現することができる。すなわち、逆光、夕暮れ、夜景の撮影など、外部カメラの置かれた環境に応じて、適切な照明および／または色調を選択することができる。さらに、ポートレイト風に被撮影者の顔付近に照明をあてることもできる。また、撮影時の内部カメラの露出時間と絞りの調節、撮影で得られた人物画像の色調と明るさの調節をすることができる。そのため、被撮影者が外部カメラの設置されている場所に居なくても、違和感がなく臨場感のある人物画像を得ることができ、理想的な合成画像を得ることができる。
【００１９】
（５）
他の局面に従う撮影方法は、撮影ブースの内部において、人物画像を撮影する人物撮影工程と、撮影ブースの外部において、背景画像を撮影する背景撮影工程と、背景画像と人物画像とを合成した合成画像を生成する画像処理工程と、を有するものである。
【００２０】
これにより、撮影ブースの外部においてカメラを用いて撮影された背景画像に、撮影ブースの内部においてカメラを用いて撮影された人物画像を合成した合成画像を得ることができるため、被撮影者である人物は撮影ブースの内部にいながら、あたかも背景画像が撮影する場所に当該人物がいるかのような画像を得ることができる。
撮影ブースの外部におけるカメラの撮影対象および撮影場所としては、例えば、観光名所、景勝地、夜景または桜の名所、山頂または崖の上、動物園の檻の中、顕微鏡またはファイバースコープによる撮影など様々であり、これらの背景画像を、被撮影者は自由に選択することができる。
したがって、従来のように、背景画像としてあらかじめ用意された既成の画像を用いないため、被撮影者の好みに合った面白みのある画像を得ることができる。
なお、人物画像の撮影および背景画像の撮影は、被撮影者の入力に応じて行われるものであってもよいし、笑顔の検知などを利用した自動撮影によるものであってもよい。また、人物画像と背景画像の撮影に用いられるカメラは、同じカメラであってもよいし、異なるカメラであってもよい。
【図面の簡単な説明】
【００２１】
【図１】本発明にかかる撮影装置を用いた撮影システムの全体構成の一例を示す概要図である。
【図２】本発明にかかる撮影装置の一例を示す模式図である。
【図３】本発明にかかる撮影装置の構成の一例を示す概要図である。
【図４】本発明にかかる受付処理の一例を示すフローチャートである。
【図５】受付処理における画面表示の一例を示す図である。
【図６】受付処理における画面表示の一例を示す図である。
【図７】受付処理における画面表示の一例を示す図である。
【図８】第１の実施の形態にかかる撮影処理の一例を示すフローチャートである。
【図９】第１の実施の形態にかかる映像処理および画像処理の一例を説明する図である。
【図１０】第１の実施の形態にかかる撮影処理における画面表示の一例を示す図である。
【図１１】第１の実施の形態にかかる撮影処理における画面表示の一例を示す図である。
【図１２】第１の実施の形態にかかる撮影処理における画面表示の一例を示す図である。
【図１３】第１の実施の形態にかかる撮影処理における画面表示の一例を示す図である。
【図１４】完成画像の印刷例を示す図である。
【図１５】第２の実施の形態にかかる撮影処理の一例を示すフローチャートである。
【図１６】第２の実施の形態にかかる映像処理および画像処理の一例を説明する図である。
【図１７】第２の実施の形態にかかる撮影処理における画面表示の一例を示す図である。
【図１８】第２の実施の形態にかかる撮影処理における画面表示の一例を示す図である。
【図１９】第２の実施の形態にかかる撮影処理における画面表示の一例を示す図である。
【発明を実施するための形態】
【００２２】
以下、図面を参照しつつ、本発明の実施の形態について説明する。以下の説明においては、同一の部品には同一の符号を付してある。それらの名称および機能も同じである。したがって、それらについての詳細な説明は繰り返さない。
また、以下の説明において、「映像」、「映す」、「映る」と表記した場合は動画であることを意味し、「画像」、「写す」、「写る」と表記した場合は静止画であることを意味する。
【００２３】
＜実施の形態＞
（撮影システム１００）
図１は、本発明にかかる撮影装置２００を用いた撮影システム１００の全体構成の一例を示す概要図である。撮影システム１００は、撮影装置２００、サーバ４００、情報端末５００がネットワーク６００を介して通信可能に設けられる。また、撮影装置２００には外部カメラ３００が通信可能に接続されている。
【００２４】
（撮影装置２００）
図２は、本発明にかかる撮影装置２００の一例を示す模式図である。撮影装置２００は、被撮影者を撮影することができる無人の自動撮影装置である。また、図３は本発明にかかる撮影装置２００の構成の一例を示す概要図である。
（受付ブース２１０）
受付ブース２１０は、撮影装置２００の外部に設置され、被撮影者の受付処理を行う場所である。受付ブース２１０は、第１表示部２１１、第１入力部２１２、決済部２１３を含む。受付ブース２１０における受付処理の詳細については後述する。
【００２５】
（撮影ブース２２０）
撮影ブース２２０は、撮影装置２００の内部に設置され、被撮影者の撮影処理を行う場所である。撮影ブース２２０は、第２表示部２２１、第２入力部２２２、内部カメラ２２３、照明２２４を含む。撮影ブース２２０の背景は、内部カメラ２２３によって撮影された映像から人物を映す領域のみを抜き出すため、クロマキー合成用の背景が設定されている。撮影ブース２２０における撮影処理の詳細については後述する。
【００２６】
（第１表示部２１１、第２表示部２２１）
第１表示部２１１または第２表示部２２１は、受付処理または撮影処理に必要な情報、画面、ボタンなどを表示する。
【００２７】
（第１入力部２１２、第２入力部２２２）
第１入力部２１２または第２入力部２２２は、受付処理または撮影処理において、被撮影者による情報の入力、ボタンの選択、または撮影装置２００の操作などに用いられる。第１入力部２１２または第２入力部２２２は、ボタン型、キーボード型、ペン入力型、タッチパネル型など任意の形態であってよい。
【００２８】
（決済部２１３）
決済部２１３は、被撮影者による撮影料金の支払いの処理および釣り銭の処理を行う。撮影料金は現金、電子マネー、クレジットカードなど任意の手段によって支払われてよい。
【００２９】
（内部カメラ２２３）
内部カメラ２２３は、撮像装置２００の内部において、人物映像および人物画像を撮影するカメラである。内部カメラ２２３は、撮影のタイミングに合わせて静止画用の解像度の高い人物画像を撮影してもよい。
内部カメラ２２３は、物理的に位置、アングルまたはズームを調節するための機構（例えば内部カメラ２２３を乗せるためのレール、首振りをするための軸、ズームレンズなど）を備えていてもよく、初期設定部２３４による指示に応じて、または被撮影者による直接の操作によって、内部カメラ２２３の位置、アングルまたはズームを調節できるように設置されていてもよい。また、内部カメラ２２３は、色調調節部２３５による指示に応じて、露出時間および／または絞りを調節できてもよい。
なお、カメラ２２３が単焦点レンズのカメラである場合は、カメラのズームを用いず、後述の映像処理部２３１および画像処理部２３２におけるトリミングを用いて映像および画像の拡大をしてもよい。
【００３０】
（照明２２４）
照明２２４は、撮影ブース２２０内部において、撮影される人物に光を当てるために設置される。照明２２４は、色調調節部２３５による指示に応じて、色調または明るさを変えられるように設置されていてもよい。
【００３１】
（外部カメラ３００）
外部カメラ３００は、例えば展望台、建物の前、動物の檻の中、または展示用水槽の中など、撮影装置２００の外部において、風景、夜景、建物、動植物などを被写体とする背景映像および背景画像を撮影する１または複数のカメラである。外部カメラ３００は、有線または無線を介して直接的に、またはネットワーク６００を介して通信部２４０と接続しており、撮影した背景映像または背景画像を通信部２４０に送信する。外部カメラ３００は、撮影のタイミングに合わせて静止画用の解像度の高い背景画像を撮影してもよい。また、外部カメラ３００は、撮影のタイミングに合わせて時間間隔をおいて連続的に複数の背景画像を撮影してもよい。
【００３２】
（制御部２３０）
制御部２３０は、少なくともＣＰＵ（Ｃｅｎｔｒａｌ  Ｐｒｏｃｅｓｓｉｎｇ  Ｕｎｉｔ）およびＲＡＭ（Ｒａｎｄｏｍ  Ａｃｃｅｓｓ  Ｍｅｍｏｒｙ）を含む。制御部２３０は、制御プログラム２５１を実行することによって、受付ブース２１０における受付処理および撮影ブース２２０における撮影処理を制御する。受付処理および撮影処理の詳細については後述する。制御部２３０には、映像処理部２３１、画像処理部２３２、装飾処理部２３３、初期設定部２３４、色調調節部２３５が含まれる。
【００３３】
（映像処理部２３１）
映像処理部２３１は、内部カメラ２２３が撮影する人物映像にクロマキー処理を行う。また、映像処理部２３１は、クロマキー処理を行った人物映像と外部カメラ３００が撮影する背景映像とを合成し、合成ライブ映像を生成する処理を行う。もしくは、映像処理部２３１は、クロマキー処理を行った人物映像を背景画像に合成し、合成ライブ映像を生成する処理を行ってもよい。
映像処理部２３１は、人物映像または背景映像の一部を所定の縦横比にトリミングする処理を行うことによって、人物映像または背景映像の大きさおよび／または範囲を変更できてもよい。また、映像処理部２３１は、内部カメラ２２３によって撮影された人物映像の色調または明るさを調節してもよい。映像処理部２３１による詳細な処理については後述する。
【００３４】
（画像処理部２３２）
画像処理部２３２は、内部カメラ２２３が撮影する人物画像にクロマキー処理を行う。また、画像処理部２３２は、クロマキー処理を行った人物画像と外部カメラ３００が撮影する背景画像とを合成し、合成画像を生成する処理を行う。
画像処理部２３２は、人物画像または背景画像の一部を所定の縦横比にトリミングする処理を行うことによって、人物画像または背景画像の大きさおよび／または範囲を変更できてもよい。また、画像処理部２３２は、内部カメラ２２３によって撮影された人物画像の色調または明るさを調節してもよい。このようにして、画像処理部２３２では、映像処理部２３１で生成したライブ映像と同様の設定の合成画像を生成する。また、画像処理部２３２は、ライブ映像の１フレームから得られた画像を合成画像として取得する処理を行ってもよい。画像処理部２３２による詳細な処理については後述する。
【００３５】
（装飾処理部２３３）
装飾処理部２３３は、第２入力部２２２による入力に基づき、落書き、スタンプ、フレームなどを用いた装飾レイヤーを生成する処理を行う。さらに、装飾処理部２３３は、合成画像に補正または変形を加える処理を行う。また、装飾処理部２３３は、合成画像の上に装飾レイヤーを重ね合わせることによって、および／または合成画像に補正または変形を加えることによって、完成画像を生成する。装飾処理部２３３による詳細な処理については後述する。
【００３６】
（初期設定部２３４）
初期設定部２３４は、合成ライブ映像における、背景映像または背景画像に対する人物映像の位置、アングル、大きさおよび／または範囲の調節などを行う。初期設定部２３４による詳細な処理については後述する。
【００３７】
（色調調節部２３５）
色調調節部２３５は、外部カメラ３００が撮影する背景映像または背景画像に応じて、内部カメラ２２３が撮影する人物映像または人物画像の色調、明るさを映像処理または画像処理を用いて調節する。また、色調調節部２３５は、照明２２４の調節、内部カメラ２２３の露出時間、および／または内部カメラ２２３の絞りの調節を行うことによって、人物映像または人物画像の色調、明るさを調節してもよい。色調調節部２３５による詳細な処理については後述する。
【００３８】
（通信部２４０）
通信部２４０は、撮像装置２００によるネットワーク６００を介した通信を制御する。また、図１および図３に示すように、通信部２４０には有線または無線を介して直接的に、またはネットワーク６００を介して間接的に、外部カメラ３００が接続される。通信部２４０は外部カメラ３００から背景映像または背景画像を取得する。
【００３９】
（記憶部２５０）
記憶部２５０は、撮像装置２００による受付処理および撮影処理に用いられる制御プログラム２５１を格納する。また、記憶部２５０は撮像装置２００による受付処理および撮影処理に用いられるデータを格納する。
【００４０】
（制御プログラム２５１）
制御プログラム２５１は、撮像装置２００による受付処理および撮影処理を制御部２３０に実行させるためのプログラムである。
【００４１】
（印刷部２６０）
印刷部２６０は、シール紙などの印刷媒体に完成画像を印刷する。印刷部２６０は、シール紙などの印刷媒体に合成画像および完成画像の画像データにアクセスするための情報をさらに印刷してもよい。
【００４２】
（サーバ４００）
サーバ４００は、撮影装置２００からネットワーク６００を介して送信された合成画像および完成画像の画像データを格納する。また、サーバ４００は、ネットワーク６００を介して合成画像および完成画像の画像データの格納場所を撮像装置２００に送信する。
【００４３】
（情報端末５００）
情報端末５００は、被撮影者が所有する端末であり、例えばスマートフォン、タブレット端末またはコンピュータなどである。情報端末５００は、ネットワーク６００を介してサーバ４００に接続し、合成画像および完成画像の画像データにアクセスすることができる。
【００４４】
＜本発明の実施の形態にかかる受付処理＞
図４は、撮影装置２００による受付処理の一例を示すフローチャートである。また、図５、図６および図７は受付処理における画面表示の一例を示す図である。
【００４５】
（ステップＳ１１）
まず、制御部２３０は、使用言語の種類を選択させる画面を第１表示部２１１に表示させる。例えば、制御部２３０は、日本語、英語、中国語、韓国語等の各言語に対応するボタンを第１表示部２１１に表示させる。被撮影者は、第１入力部２１２を用いていずれかのボタンを選択する。これにより、制御部２３０は、使用言語の選択を受け付ける。制御部２３０は、以降の処理において、第１表示部２１１または第２表示部２２１に選択された使用言語に応じた画面を表示させる。
【００４６】
（ステップＳ１２）
次に、制御部２３０は、印刷枚数を選択させる画面を第１表示部２１１に表示させる。例えば、制御部２３０は、１枚、２枚等の印刷枚数に対応するボタンを第１表示部２１１に表示させる。被撮影者は、第１入力部２１２を用いていずれかのボタンを選択する。これにより、制御部２３０は、印刷枚数の選択を受け付ける。
【００４７】
（ステップＳ１３）
次に、制御部２３０は、決済方法を選択させる画面を第１表示部２１１に表示させる。例えば、制御部２３０は、クレジットカード、ＩＣカード、現金等の各決済方法に対応するボタンを第１表示部２１１に表示させる。被撮影者は、第１入力部２１２を用いていずれかのボタンを選択する。これにより、制御部２３０は、決済方法の選択を受け付ける。
【００４８】
（ステップＳ１４）
次に、制御部２３０は、撮影料金を第１表示部２１１に表示させ、被撮影者に対して決済部２１３において決済を行うように指示する。決済部２１３は、ステップＳ１３において選択された決済方法による決済を受け付ける。制御部２３０は、決済部２１３において決済が完了した場合、次の処理を進める。
【００４９】
（ステップＳ１５）
次に、制御部２３０は、印刷デザインのテンプレート画像を選択させる画面を第１表示部２１１に表示させる。図５は印刷デザインのテンプレート画像の選択画面の一例を示す。テンプレート画像は、記憶部２５０に記録されていてもよいし、ネットワーク６００を介してサーバ４００から取得されてもよい。各デザインは、例えば撮影される複数の画像の配置、挿入されるイラスト、色などが相違する。制御部２３０は、例えば、各デザインのサムネイルを第１表示部２１１に表示させてもよい。制御部２３０は、被撮影者が第１入力部２１２を用いていずれかのサムネイルを選択することにより、印刷デザインの選択を受け付けてもよい。
【００５０】
（ステップＳ１６）
次に、外部カメラ３００が複数設置されている場合、制御部２３０は、人物映像と合成する背景映像を選ぶために、外部カメラ３００を選択させる画面を第１表示部２１１に表示させる。
図６は、背景映像の選択画面の一例を示す。例えば、制御部２３０は、各外部カメラ３００が撮影するリアルタイムの背景映像のサムネイルを第１表示部２１１に表示させてよい。または、制御部２３０は、各外部カメラ３００によって事前に撮影された背景画像のサムネイルを第１表示部２１１に表示させてもよい。表示する背景映像のサムネイルは、第１表示部２１１に同時に全てを表示してもよいし、１つずつ又は一定数毎に順に切り替えて表示してもよい。
そして、被撮影者は、第１入力部２１２を用いていずれかのサムネイルを選択する。制御部２３０は、いずれかのサムネイルが選択された場合に、対応する背景映像を第１表示部２１１に大きく表示して被撮影者が確認できるようにしてもよい。
さらに、例えば撮影日の天気が悪い場合などに備え、記憶部２５０は、外部カメラ３００によってあらかじめ撮影された画像を記録しておき、制御部２３０は、被撮影者があらかじめ撮影された画像を背景画像として選択できるようにしてもよい。さらに、記録部２５０は、異なる時期または時間帯に撮影された複数の画像をあらかじめ記録することにより、日中に撮影する場合であっても、夜景を背景にする、あるいは季節外れに満開の桜を背景にするなどのことができるようにしてもよい。
このようにして、制御部２３０は、背景映像または背景画像の選択を受け付ける。
【００５１】
（ステップＳ１７）
次に、制御部２３０は、内部カメラ２２３による撮影方法を選択させる画面を第１表示部２１１に表示させる。図７は撮影方法の選択画面の一例を示す。例えば、撮影装置２００を用いて被撮影者の全身および上半身の撮影を行う場合、制御部２３０は、被撮影者が全身の画像および上半身の画像を背景ごとまたはテンプレートのサムネイルごとに選択することができるボタンを第１表示部２１１に表示させる。被撮影者は、第１入力部２１２を用いていずれかのボタンを選択する。これにより、制御部２３０は内部カメラ２２３による撮影方法の選択を受け付ける。さらに、制御部２３０は被撮影者が画像データへアクセスするための会員登録情報（被撮影者のメールアドレス、パスワード、性別、生年月日等）を第１入力部２１２に入力できるようにしてもよい。
【００５２】
（ステップＳ１８）
次に、制御部２３０は前の被撮影者が撮影ブース２２０において撮影中であるかどうかを判定する。
【００５３】
（ステップＳ１９）
前の被撮影者が撮影中であり、撮影ブース２２０が利用できない場合（ステップＳ１８のＹｅｓ）、制御部２３０は、第１表示部２１１にデモ画面を表示させる。デモ画面は、前の被撮影者が撮影ブース２２０を占有している間、対象の被撮影者に対して撮影ブース２２０の外側において待機するように指示を行う。デモ画面は、例えば、撮影ブース２２０による撮影の案内、または広告などを表示してもよい。
【００５４】
（ステップＳ２０）
前の被撮影者が撮影を完了し、撮影ブース２２０が利用可能である場合（ステップＳ１８のＮｏ）、表示部２１１は被撮影者に対して撮影装置２００の内部に進むように指示する画像を第１表示部２１１に表示させる。例えば、制御部２３０は、撮影ブース２２０内への移動案内を第１表示部２１１に表示させ、対象の被撮影者に対して撮影ブース２２０内に移動するように促す。これにより、制御部２３０は、本動作例にかかる受付処理を終了する。
【００５５】
なお、各ステップにおいて、第１表示部２１１は、一つ前のステップに戻るため、または最初のステップＳ１１に戻るためのボタンを表示してもよい。これにより、被撮影者は、受付処理を所望のステップに戻す、または撮影の依頼をキャンセルすることができる。
【００５６】
＜第１の実施の形態にかかる撮影処理＞
次に、撮影装置２００による、第１の実施の形態にかかる撮影処理について説明する。
図８は、第１の実施の形態にかかる撮影装置２００による撮影処理の一例を示すフローチャートである。また、図９は第１の実施の形態にかかる映像処理および画像処理の一例を説明する図である。さらに、図１０、図１１、図１２および図１３は第１の実施の形態にかかる撮影処理における画面表示の一例を示す図である。さらに、図１４は完成画像の印刷例を示す図である。
【００５７】
以下に示す撮影処理において、撮影装置２００の制御部２３０は、映像処理部２３１、画像処理部２３２、装飾処理部２３３、初期設定部２３４、または色調調節部２３５として動作してもよい。なお、以下に説明する処理手順は一例に過ぎず、各処理は可能な限り変更されてもよい。また、以下に説明する処理手順について、実施の形態に応じて、適宜、ステップの省略、置換、および追加が可能である。
【００５８】
（ステップＳ２１）
まず、制御部２３０は、撮影を開始するためのスタート画面を第２表示部２２１に表示する。例えば、制御部２３０は、撮影の開始を被撮影者に容認させるためのスタートボタンを第２表示部２２１に表示する。被撮影者は、第２入力部２２２を用いてスタートボタンを選択する。これにより、制御部２３０は、撮影処理の開始を受け付ける。
【００５９】
（ステップＳ２２）
次に、内部カメラ２２３は、ステップＳ１７において選択された撮影方法に基づいて被撮影者をライブ撮影する（以下、人物映像とする）。人物映像は、被撮影者と、被撮影者を映す領域以外の領域であるクロマキー背景とを含む。
【００６０】
（ステップＳ２３）
次に、図９に示すように、映像処理部２３１は、クロマキー処理を行った人物映像と、ステップＳ１６において選択された外部カメラ３００による背景映像とを合成し、被撮影者を映す領域以外の領域に背景映像を合成したライブ映像を生成する（以下、合成ライブ映像とする）。もしくは、映像処理部２３１は、クロマキー処理を行った人物映像と、あらかじめ撮影され、記憶部２５０に記録された背景画像とを合成し、合成ライブ映像を生成してもよい。制御部２３０は、合成ライブ映像を第２表示部２２１に表示させる。
【００６１】
（ステップＳ２４）
次に、初期設定部２３４は、背景映像に対する人物映像の位置、アングル、大きさおよび／または範囲を、選択された外部カメラ３００についてあらかじめ設定された推奨画像の構図となるように自動的に調節する。例えば、初期設定部２３４は、内部カメラ２２３の位置、アングル、またはズームを物理的に調節することができてもよい。または、初期設定部２３４は、映像処理部２３１によるトリミング処理を用いて背景映像または人物映像の大きさまたは範囲を変更することができてもよい。
その後、初期設定部２３４は、被撮影者に対して、背景映像に対する人物映像の位置、アングル、大きさおよび／または範囲を適切に調節するように指示する画面を第２表示部２２１に表示させることができる。例えば、初期設定部２３４は、図１０に示すように背景映像に対する人物映像の位置、アングル、大きさおよび／または範囲の調節ボタンを第２表示部２２１に表示させる。被撮影者は、合成ライブ映像を見ながら第２入力部２２２を用いていずれかのボタンを選択する。初期設定部２３４は、第２入力部２２２による入力に基づいて、背景映像に対する人物映像の位置、アングル、大きさおよび／または範囲を調節する。
被撮影者が一定時間以上、初期設定部２３４による調節をしない場合は、次のステップに自動的に移行してもよい。初期設定部２３４による調節は、ステップＳ２７において生成される合成画像に反映される。したがって、初期設定部２３４で設定されたライブ映像と同様の設定の合成画像を得ることができる。
【００６２】
（ステップＳ２５）
次に、天気または時間帯によっては背景映像と人物映像との間において色調または明るさに差異が生じ、被撮影者の写り方が不自然に感じる場合がある。そこで、色調調節部２３５は、人物映像の色調または明るさが、背景映像の色調または明るさに応じて、あらかじめ設定された推奨値となるように自動的に調節する。例えば、色調調節部２３５は、外部カメラ３００が撮影する映像に応じて、内部カメラ２２３によって撮影された人物映像の色調、明るさを映像処理によって調節することができる。この場合、例えば、色合い、コントラストおよびγ値からなる群より選ばれる色調を補正により調節するなどの方法を採用することができる。また、色調調節部２３５は、外部カメラ３００が映す背景映像の光条件に対応した撮影環境を、撮影ブース２２０内で再現するために、照明２２４を調節することができる。この場合、ＬＥＤを使用した照明等により、色調および明るさを調節する、順光逆光のバランスを調節するなどの方法を採用することができる。さらに、内部カメラ２２３の露出時間または絞りを適宜調節することができる。
その後、色調調節部２３５は、被撮影者に対して人物映像の色調または明るさを適切に調節するように指示する画面を第２表示部２２１に表示させることができる。例えば、色調調節部２３５は、図１１に示すように人物映像の色調または明るさを調節するボタンを第２表示部２２１に表示させる。被撮影者は合成ライブ映像を見ながら、第２入力部２２２を用いていずれかのボタンを選択する。色調調節部２３５は、第２表示部２２１による入力に基づいて人物映像の色調または明るさを調節する。
被撮影者が一定時間以上、色調調節部２３５による調節をしない場合は、次のステップに自動的に移行してもよい。色調調節部２３５による調節は、ステップＳ２７において生成される合成画像に反映される。
【００６３】
（ステップＳ２６）
次に、制御部２３０は、撮影画面を第２表示部２２１に表示させる。例えば、制御部２３０は、図１２に示すように撮影ボタンを第２表示部２２１に表示させる。被撮影者は、合成ライブ映像を見ながら適宜ポーズを取り、第２入力部２２２を用いて撮影ボタンを選択する。制御部２３０は、第２入力部２２２による入力に応じて画面の表示または音声などを用いて適宜カウントダウンを行い、内部カメラ２２３を用いて人物画像を撮影すると同時に、外部カメラ３００を用いて背景画像を撮影する。もしくは、制御部２３０は、人物映像から被撮影者の顔の表情を分析し、例えばＡＩを用いた笑顔の検知に合わせて、自動的に内部カメラ２２３による人物画像の撮影および外部カメラ３００による背景画像の撮影を行ってもよい。なお、ステップＳ１６において被撮影者があらかじめ撮影された画像を背景画像として選択した場合は、制御部２３０は内部カメラ２２３による人物画像の撮影のみを行う。
撮影は、ステップＳ２４において調節された、背景映像に対する人物映像の位置、アングル、大きさおよび／または範囲を人物画像に反映して行われ、さらにステップＳ２５において調節された人物映像の色調、明るさ、撮影ブース内部の照明、および／または前記内部カメラ２２３の露出時間、絞りを人物画像に反映して行われる。
また、撮影は、例えば被撮影者の全身と、被撮影者の上半身のみの２回の撮影をしてもよいし、１回の全身撮影から上半身のみの画像部分を抜き出して２つの人物画像としてもよい。さらに、ステップＳ１２で選択された印刷枚数またはステップＳ１５で選択されたテンプレートに応じて、適宜撮影回数を変更してもよい。
【００６４】
（ステップＳ２７）
画像処理部２３２は、撮影のタイミングに合わせて合成ライブ映像に基づいた合成画像を生成する。例えば、画像処理部２３２は、撮影のタイミングに合わせて外部カメラ３００および内部カメラ２２３が撮影した静止画用の解像度の高い画像を取得し、クロマキー合成を用いて合成画像を合成する。もしくは、画像処理部２３２は、撮影のタイミングに合わせて合成ライブ映像の１フレームを合成画像として取得してもよい。制御部２３０は、合成画像を第２表示部２２１に表示させる。
【００６５】
（ステップＳ２８）
次に、制御部２３０は、被撮影者に対して撮り直しを行うかどうかを選択させる画面を第２表示部２２１に表示させる。被撮影者は、第２入力部２２２を用いて撮り直しを行うかどうかを選択する。
撮り直しを行う場合（ステップＳ２８のＹｅｓ）、ステップＳ２３に戻る。被撮影者は、あらかじめ定められた回数まで撮り直しを行うことができる。
また、撮影後の画像について、背景画像に対する人物画像の位置、大きさ、範囲、色調および／または明るさの変更をさらにできるようにしてもよい。
【００６６】
（ステップＳ２９）
撮り直しを行わない場合（ステップＳ２８のＮｏ）、制御部２３０は、合成画像に落書きなどを加えるための画面（以下、装飾画面とする）を第２表示部２２１に表示させる。例えば、図１３に示すように、落書きを描写するためのボタン、スタンプを挿入するためのボタン、フレームを追加するためのボタン、合成画像を補正または変形させるためのボタンを表示させる。被撮影者は、第２入力部２２２を用いてボタンを選択し、装飾画面の表示に従って落書きの描写、スタンプの挿入、フレームの追加、合成画像の補正または変形などを行う。装飾処理部２３３は、第２入力部２２２による入力に基づいて装飾レイヤーを生成する。制御部２３０は、受付処理を終えた次の被撮影者が待機中である場合、対象の被撮影者に対して装飾レイヤーを作成できる時間を任意の時間に限定してもよい。
【００６７】
（ステップＳ３０）
装飾処理部２３３は、合成画像の上に装飾レイヤーを合成し、および／または合成画像に補正または変更を加えることによって、完成画像を生成する。制御部２３０は、完成画像を第２表示部２２１上に表示させる。
【００６８】
（ステップＳ３１）
制御部２３０は、完成画像の画像データを印刷部２６０に送信する。また、制御部２３０はネットワーク６００を介して合成画像および完成画像の画像データをサーバ４００に送信する。また、ステップＳ１５において選択されたテンプレートに応じて、メイン画像（通常は最もサイズが大きい画像）がある場合は、選択されたメイン画像の情報を印刷部２６０およびサーバ４００に送信する。
【００６９】
（ステップＳ３２）
印刷部２６０は、完成画像と、サーバ４００における合成画像および完成画像の画像データの格納場所の情報とを印刷シートなどの印刷媒体に印刷する。印刷の時間中、被撮影者が画像データへアクセスを容易するための会員登録情報（被撮影者のメールアドレス、パスワード、性別、生年月日等）を第２入力部２２２に入力できるようにしてもよい。
また、印刷部２６０は、被撮影者による印刷物の取り忘れを防止するため、印刷物の取り出し口にセンサを設け、印刷物の取り忘れを検知した場合に、画面の表示または音声などを用いて被撮影者に対して通知を行ってもよい。
【００７０】
（完成画像の印刷例）
図１４は、完成画像の印刷例を示す図である。図１４のように、印刷部２６０は、サーバ４００における合成画像および完成画像の画像データの格納場所を、例えばＱＲコード（登録商標）を用いて印刷媒体に印刷してもよい。また、印刷部２６０は、図１４のように合成画像および完成画像のサムネイル画像２６５を印刷し、被撮影者にサーバ４００へのアクセスを促してもよい。
【００７１】
被撮影者は、情報端末５００を用いて印刷されたＱＲコード（登録商標）を読み取り、ネットワーク６００を介してサーバ４００における合成画像および完成画像の画像データの格納場所にアクセスすることができる。
印刷されたＱＲコード（登録商標）の横には、撮影した画像の一部（通常はメイン画像）のサムネイル画像２６５が印刷されている。これにより、被撮影者の注意を引くとともに、被撮影者はＱＲコード（登録商標）にアクセスすると、撮影した画像の画像データを入手することができる旨を視覚的に理解することができる。したがって、印刷物に印字された説明を読む必要がないため、年齢または国籍言語に依らず被撮影者が容易に画像データを入手することができる。
被撮影者は、情報端末５００に合成画像および完成画像の画像データをダウンロードし、電子情報として保管する、または友人と共有するなどの使い方をすることができる。なお、本実施例においては、ＱＲコード（登録商標）を用いて画像データの格納場所を印刷媒体に印刷するとしたが、これに限定されず、例えばＵＲＬを文字として記載してもよく、他の形式を用いて表示してもよい。さらに被撮影者の属性に応じて、メイン画像のみをダウンロードすることができるよう、制限を設けてもよい。
【００７２】
以上のように、第１の実施の形態にかかる撮影処理は、外部カメラ３００によって撮影された背景映像と、内部カメラ２２３によって撮影された被撮影者の人物映像とを合成した合成ライブ映像を表示し、被撮影者が任意のタイミングにおいて撮影を行うことができる。そのため、時期、時間帯、天気などによって多様に変化する風景を背景にした写真を撮ることができる。また、外部カメラ３００を背景の撮影に最適化し、内部カメラ２２３を人物の撮影に最適化することができるため、美しい写真に仕上げることができる。
【００７３】
＜第２の実施の形態にかかる撮影処理＞
以下、第２の実施の形態にかかる撮影処理ついて説明を行う。第２の実施の形態にかかる撮影処理が、第１の実施の形態にかかる撮影処理と異なる点について主に説明する。したがって、説明を省略する部分については、第１の実施の形態にかかる撮影処理と同様である。
【００７４】
図１５は、第２の実施の形態にかかる撮影装置２００による撮影処理の一例を示すフローチャートである。また、図１６は第２の実施の形態にかかる映像処理および画像処理の一例を説明する図である。さらに、図１７、図１８および図１９は第２の実施の形態にかかる撮影処理における画面表示の一例を示す図である。
【００７５】
以下に示す撮影処理において、撮影装置２００の制御部２３０は、映像処理部２３１、画像処理部２３２、装飾処理部２３３、初期設定部２３４、または色調調節部２３５として動作してもよい。なお、以下で説明する処理手順は一例に過ぎず、各処理は可能な限り変更されてもよい。また、以下で説明する処理手順について、実施の形態に応じて、適宜、ステップの省略、置換、および追加が可能である。
【００７６】
（ステップＳ４１）
まず、制御部２３０は、撮影を開始するためのスタート画面を第２表示部２２１に表示する。例えば、制御部２３０は、撮影の開始を被撮影者に容認させるためのスタートボタンを第２表示部２２２に表示する。被撮影者は、第２入力部２２２を用いてスタートボタンを選択する。これにより、制御部２３０は、撮影処理の開始を受け付ける。
【００７７】
（ステップＳ４２）
次に、制御部２３０は被撮影者に対して背景画像を撮影するように指示する画面を第２表示部２２１に表示させる。例えば、図１７に示すように、制御部２３０は、外部カメラ３００による背景映像と、撮影ボタンとを第２表示部２２１に表示させる。被撮影者は、任意のタイミングにおいて第２入力部２２２を用いて撮影ボタンを選択し、背景画像の撮影を行う。
【００７８】
（ステップＳ４３）
次に、画像処理部２３２は、撮影のタイミングに合わせて複数の背景画像を取得する。例えば、画像処理部２３２は、撮影のタイミングに合わせて外部カメラ３００が時間間隔をおいて連続的に撮影した、静止画用の高解像度の複数の背景画像を取得する。もしくは、画像処理部２３２は、外部カメラ３００が撮影する背景映像から、撮影のタイミングに合わせて時間間隔をおいて連続的にフレームを取得し、複数の背景画像としてもよい。複数の背景画像は第２表示部２２１に表示される。
【００７９】
（ステップＳ４４）
次に、制御部２３０は、被撮影者に対して撮影された複数の背景画像から１の背景画像を選択するように指示する画面を第２表示部２２１に表示させる。例えば、制御部２３０は、図１８に示すように撮影された複数の背景画像のサムネイルを第２表示部２２１に表示させる。撮影された複数の背景画像に加えて、制御部２３０は、記憶部２５０に記録された、あらかじめ撮影された背景画像のサムネイルを第１表示部２１１に表示させてもよい。あるいは、スクロールバーを表示して複数の背景画像のサムネイルを順次表示させてもよい。これにより、被撮影者は、第２入力部２２２を用いて最適なタイミングにおいて撮影された背景画像を選択することができる。
【００８０】
（ステップＳ４５）
次に、内部カメラ２２３は、ステップＳ１７において選択された撮影方法に基づいて人物映像を撮影する。
【００８１】
（ステップＳ４６）
次に、映像処理部２３１は、人物映像と、ステップＳ４４において選択された背景画像とをクロマキー処理によって合成し、合成ライブ映像を生成する。制御部２３０は、図１９に示すように合成ライブ映像を第２表示部２２１に表示させる。
【００８２】
以後の処理は、第１の実施の形態にかかる撮影処理と同様である（ステップＳ４７からステップＳ５４）。なお、ステップＳ４４において選択された画像が背景画像として用いられるため、ステップＳ４９において、制御部２３０は内部カメラ２２３による人物画像の撮影のみを行う。
【００８３】
以上のように、第２の実施の形態にかかる撮影処理は、外部カメラ３００が動きのある被写体を最適なタイミングにおいて撮影した背景画像を得ることができる。また、外部カメラ３００は動物の檻の内部、または水族館の展示用水槽の中など、被撮影者が通常は撮影できない位置に設置することができるため、より被写体を目立たせた画像を背景にした合成画像を得ることができる。
【００８４】
なお、第２の実施の形態において、ステップＳ４２からステップＳ４４を撮影処理の一部として実行させることとしたが、これに限定されず、受付処理の一部として実行させてもよい。この場合、被撮影者は撮影ブース２２０に入るまでの待ち時間を有効活用することができる。
【００８５】
本発明においては、撮影装置２００が「撮影装置」に相当し、撮影ブース２２０が「撮影ブース」に相当し、内部カメラ２２３が「内部カメラ」に相当し、照明２２４が「照明」に相当し、初期設定部２３４が「初期設定部」に相当し、色調調節部２３５が「色調調節部」に相当し、画像処理部２３２が「画像処理部」に相当し、通信部２４０が「通信部」に相当し、外部カメラ３００が「外部カメラ」に相当する。
【００８６】
本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００８７】
１００  撮影システム
２００  撮影装置
２１０  受付ブース
２１１  第１表示部
２１２  第１入力部
２１３  決済部
２２０  撮影ブース
２２１  第２表示部
２２２  第２入力部
２２３  内部カメラ
２２４  照明
２３０  制御部
２３１  映像処理部
２３２  画像処理部
２３３  装飾処理部
２３４  初期設定部
２３５  色調調節部
２４０  通信部
２５０  記憶部
２５１  制御プログラム
２６０  印刷部
２６５  サムネイル画像
３００  外部カメラ
４００  サーバ
５００  情報端末
６００  ネットワーク
【図１】
2019186828.tif 000003
【図２】
2019186828.tif 000004
【図３】
2019186828.tif 000005
【図４】
2019186828.tif 000006
【図５】
2019186828.tif 000007
【図６】
2019186828.tif 000008
【図７】
2019186828.tif 000009
【図８】
2019186828.tif 000010
【図９】
2019186828.tif 000011
【図１０】
2019186828.tif 000012
【図１１】
2019186828.tif 000013
【図１２】
2019186828.tif 000014
【図１３】
2019186828.tif 000015
【図１４】
2019186828.tif 000016
【図１５】
2019186828.tif 000017
【図１６】
2019186828.tif 000018
【図１７】
2019186828.tif 000019
【図１８】
2019186828.tif 000020
【図１９】
2019186828.tif 000021